(57)【要約】【課題】電灯とソケットの間から水分が侵入することを防止して、照明器具の耐久性を向上することができる照明器具用パッキン及び照明器具を提供すること。【解決手段】照明器具用パッキン１がＬＥＤ電灯３の口金部９の根元のカラー１５に嵌め込まれると、自身の弾性によってカラー１５の外周に密着する。この状態で、ソケット２３にＬＥＤ電灯３をねじ込んでゆくと、ソケット２３の容器２５の下端が照明器具用パッキン１に密着するとともに、照明器具用パッキン１は、軸方向に押圧されて、その軸方向の一方の面が、ＬＥＤ電灯３の本体部７の基端部１１に密着する。これによって、照明器具用パッキン１は、口金部９のカラー１７とソケット２３との間の隙間を気密するとともに、ソケット２３とＬＥＤ電灯３の本体部７の基端部１１との間の隙間を気密する。 その結果、ＬＥＤ電灯３とソケット２３の間に水蒸気や水分が侵入することを防止できる。【選択図】図５
0003156168.tif 000002
【実用新案登録請求の範囲】
【請求項１】
発光体を収容する本体部と、前記本体部の端部に設けられて前記発光体に電力を供給するための柱状の口金部と、を備えた照明器具に用いられる照明器具用パッキンであって、
前記照明器具用パッキンは、弾性及び気密性を有する材料からなり、前記口金部に外嵌される環状の形状を有することを特徴とする照明器具用パッキン。
【請求項２】
前記照明器具用パッキンは、前記本体部と前記口金部に嵌められたソケットとの間の隙間を気密するパッキンであることを特徴とする請求項１に記載の照明器具用パッキン。
【請求項３】
前記照明器具用パッキンは、前記口金部の本体部側の外周に密着するように、前記口金部の本体部側の外径寸法を下回る内径寸法に設定されていることを特徴とする請求項１又は２に記載の照明器具用パッキン。
【請求項４】
前記照明器具用パッキンの径方向の厚みは、前記照明器具用パッキンの軸方向における一方の面がソケットの先端側を全て覆うように、該先端側の厚みより大きく設定されていることを特徴とする請求項１〜３のいずれか１項に記載の照明器具用パッキン。
【請求項５】
前記照明器具用パッキンは、円筒形状であることを特徴とする請求項１〜４のいずれか１項に記載の照明器具用パッキン。
【請求項６】
前記照明器具用パッキンは、その軸方向の一方の面が、軸方向に沿って開口面積が大きくなるテーパ形状を有することを特徴とする請求項５に記載の照明器具用パッキン。
【請求項７】
前記照明器具用パッキンの内周面に、円周方向に沿って環状となるように、表面から突出する環状凸部を有することを特徴とする請求項１〜６のいずれか１項に記載の照明器具用パッキン。
【請求項８】
更に、前記照明器具用パッキンの軸方向の一方の面に、円周方向に沿って環状となるように、表面から突出する環状凸部を有することを特徴とする請求項７に記載の照明器具用パッキン。
【請求項９】
前記請求項１〜８のいずれかに１項に記載の照明器具用パッキンを、前記照明器具の口金部に嵌め込んだことを特徴とする照明器具。
【請求項１０】
前記照明器具は、ＬＥＤ電灯であることを特徴とする請求項９に記載の照明器具。
【考案の詳細な説明】
【技術分野】
【０００１】
本考案は、照明器具用パッキン及びその照明器具用パッキンを備えた照明器具に関する。
【背景技術】
【０００２】
従来より、内部にＬＥＤ等の発光体を収容した電灯（電球）には、電気を外部から発光体に供給するために、金属製の口金が用いられている。
そして、この電灯を天井等から吊り下げるためや天井或いは壁に固定するために、天井等から伸びる電線の先端や天井或いは壁にソケットを取り付け、そのソケットに電灯の口金をねじ込んで電灯を固定していた（特許文献１参照）。
【先行技術文献】
【特許文献】
【０００３】
【特許文献１】特開平７−３３５３４９号公報
【考案の概要】
【考案が解決しようとする課題】
【０００４】
しかしながら、電灯の口金をソケットにねじ込んで固定する場合には、電灯の上端部とソケットの下端面との間に隙間があるので、この隙間から水蒸気や水滴等の水分が侵入し易く、水分が侵入した場合には、電灯の口金などの金属部分が錆びてしまい、電灯の耐久性が低下するという問題があった。
【０００５】
本願考案は、上記課題に鑑みてなされたものであり、電灯とソケットの間から水分が侵入することを防止して、照明器具の耐久性を向上することができる照明器具用パッキン及びその照明器具用パッキンを備えた照明器具を提供することを目的とする。
【課題を解決するための手段】
【０００６】
（１）上記課題に鑑みてなされた請求項１に記載の考案は、発光体を収容する本体部と、前記本体部の端部に設けられて前記発光体に電力を供給するための柱状の口金部と、を備えた照明器具に用いられる照明器具用パッキンであって、前記照明器具用パッキンは、弾性及び気密性を有する材料からなり、前記口金部に外嵌される環状の形状を有することを特徴とする。
【０００７】
本考案の照明器具用パッキンは、弾性及び気密性を有する材料からなり、口金部に外嵌される環状の形状を有するので、照明器具用パッキンを照明器具の口金部に嵌め込んでソケットにねじ込むことにより、照明器具（詳しくは照明器具の本体部の口金部が設けられた端部）とソケットとの間隙を水分が侵入しないように気密（水密）することができる。これにより、口金部やソケット等の金属部分などがさびにくくなので、照明器具やソケット等の耐久性が向上する。
【０００８】
なお、弾性及び気密性を有する材料としては、例えば合成ゴム、天然ゴム、ＥＰＴ、ＥＰＤＭ等のエラストマが挙げられる。
（２）請求項２の考案では、前記照明器具用パッキンは、前記本体部と前記口金部に嵌められたソケットとの間の隙間を気密するパッキンであることを特徴とする。
【０００９】
本考案は、照明器具用パッキンの使用位置を示したものである。
（３）請求項３の考案では、前記照明器具用パッキンは、前記口金部の本体部側の外周に密着するように、前記口金部の本体部側の外径寸法以下の内径寸法に設定されていることを特徴とする。
【００１０】
本考案では、照明器具用パッキンは、口金部の本体部側の外径寸法を下回る内径寸法に設定されているので、照明器具用パッキンを広げて口金部に嵌め込むと、自身の弾性によって口金部の外周にしっかりと密着する。これにより、口金部の外周に沿った水分の侵入を防止できる。
【００１１】
なお、照明器具用パッキンの内径寸法は、口金部にはめ込んだ際にしっかりと密着すればよく、本体部側の外径寸法に応じて適宜設定すればよい。
（４）請求項４の考案では、前記照明器具用パッキンの径方向（軸方向と垂直方向）の厚み（幅）は、前記照明器具用パッキンの軸方向における一方の面がソケットの先端側を全て覆うように、該先端側の厚みより大きく（即ち幅が広く）設定されていることを特徴とする。
【００１２】
本考案では、ソケットの先端側が照明器具用パッキンに当接した場合には、ソケットの先端側が照明器具用パッキンに完全に覆われることになる。よって、ソケットの先端側から水分が侵入することを防止できる。
【００１３】
（５）請求項５の考案では、前記照明器具用パッキンは、円筒形状であることを特徴とする。
本考案は、照明器具用パッキンの形状を例示したものである。
【００１４】
（６）請求項６の考案では、前記照明器具用パッキンは、その軸方向の一方の面が、軸方向に沿って開口面積が大きくなる（即ち外側に広がる）テーパ形状を有する。
本考案は、照明器具用パッキンの形状を例示したものである。
【００１５】
照明器具の本体部の口金部側の端部が、例えば軸方向外側にテーパ形状（円錐形状）に突出した形状である場合には、そのテーパ形状に突出する部分が照明器具用パッキンのテーパ形状に開口する表面に好適に密着する。これにより、照明器具の本体部の口金部側からの水分の侵入を効果的に防止できる。
【００１６】
（７）請求項７の考案では、前記照明器具用パッキンの内周面に、円周方向に沿って環状となるように、表面から突出する環状凸部を有する。
本考案では、照明器具用パッキンの内周面に、内周面を一回りするような環状凸部が設けてある。従って、この照明器具用パッキンを照明器具の口金部にはめ込んだ場合には、環状凸部が口金部に強固に密着するので、高い気密性が得られる。
【００１７】
（８）請求項８の考案では、更に、前記照明器具用パッキンの軸方向の一方の面に、円周方向に沿って環状となるように、表面から突出する環状凸部を有する。
本考案では、照明器具用パッキンの内周面だけではなく、軸方向の一方の面（本体部に密着させる側の面）にその面を一回りするような環状凸部が設けてある。従って、この照明器具用パッキンを照明器具の口金部にはめ込んだ場合には、環状凸部が照明器具の本体部に強固に密着するので、高い気密性が得られる。
【００１８】
（９）請求項９の考案は、前記照明器具用パッキンを、前記照明器具の口金部に嵌め込んだことを特徴とする。
本考案は、照明器具用パッキンが取り付けられた照明器具を例示したものである。
【００１９】
（１０）請求項１０の考案は、前記照明器具は、ＬＥＤ電灯であることを特徴とする。
本考案は、照明器具の種類を例示したものである。なお、ＬＥＤ電灯以外に、通常の電球や電球型の蛍光灯などにも利用できる。
【図面の簡単な説明】
【００２０】
【図１】（ａ）は第１実施形態の照明器具用パッキンの平面図、（ｂ）はその正面図、（ｃ）は（ａ）のＡ−Ａ断面図である。
【図２】第１実施形態の照明器具用パッキンをＬＥＤ電灯の口金部に取り付けてソケットをはめ込んだ状態の外観を示す説明図である。
【図３】第１実施形態の照明器具用パッキンをＬＥＤ電灯の口金部に取り付けてソケットをはめ込んだ状態を一部を透過して示す説明図である。
【図４】第１実施形態の照明器具用パッキンをＬＥＤ電灯の口金部に取り付けた状態を示す上面図である。
【図５】第１実施形態の照明器具用パッキンをＬＥＤ電灯の口金部に取り付けた状態を一部破断して示す説明図である。
【図６】（ａ）は第２実施形態の照明器具用パッキンの平面図、（ｂ）はその正面図、（ｃ）は（ａ）のＢ−Ｂ断面図である。
【図７】第２実施形態の照明器具用パッキンをＬＥＤ電灯の口金部に取り付けた状態を一部破断して示す説明図である。
【図８】（ａ）は第２実施形態の照明器具用パッキンの変形例の平面図、（ｂ）はその正面図、（ｃ）は（ａ）のＣ−Ｃ断面図である。
【図９】（ａ）は第３実施形態の照明器具用パッキンの平面図、（ｂ）はその正面図、（ｃ）は（ａ）のＤ−Ｄ断面図である。
【図１０】第３実施形態の照明器具用パッキンをＬＥＤ電灯の口金部に取り付けた状態を一部破断して示す説明図である。
【図１１】（ａ）は第４実施形態の照明器具用パッキンの平面図、（ｂ）はその正面図、（ｃ）は（ａ）のＥ−Ｅ断面図である。
【図１２】第４実施形態の照明器具用パッキンをＬＥＤ電灯の口金部に取り付けた状態を一部破断して示す説明図である。
【図１３】（ａ）は第４実施形態の照明器具用パッキンの変形例の平面図、（ｂ）はその正面図、（ｃ）は（ａ）のＦ−Ｆ断面図である。
【考案を実施するための形態】
【００２１】
以下、本考案の実施形態について、図面を用いて説明する。
＜第１実施形態＞
図１に示すように、本実施形態の照明器具用パッキン１は、円環形状のパッキンである。
【００２２】
具体的には、照明器具用パッキン１は、弾性及び気密性（水密性）を有する例えば天然ゴムや合成ゴム等のエラストマからなり、例えば外径３９ｍｍ×内径２７ｍｍ×高さ１０ｍｍの円筒状の部材である。
【００２３】
この照明器具用パッキン１は、図２〜図４に示す様に、照明器具であるＬＥＤ電灯３に使用される。
具体的には、ＬＥＤ電灯３は、図３に示す様に、プラスチック製の容器５の内部に複数のＬＥＤ（発光ダイード：図示せず）を収容した略円柱形状の本体部７と、本体部７の軸方向の一端である基端部１１（上端：図３上方）から軸方向に突出する口金部９とを備えている。なお、本体部７の軸方向の他端である先端部１２（下端：図３下方）からＬＥＤによる光が放射される。
【００２４】
前記本体部７の基端部１１は、その中央部が外周に比べて突出するようなテーパ形状（円錐形状）であり、本体部７の径方向の外周（容器５の外側表面）には、放熱のための多数のフィン１３が形成されている。
【００２５】
前記口金部９は、ＬＥＤに電力を供給するための部材であり、その本体部７側（同図下側）には、外径２８ｍｍ×高さ７ｍｍの（本体部７と一体の）プラスチック製の円筒状のカラー１５が設けられている。また、カラー１５より上部には、一方の電極となる金属製のねじ部１７が設けられ、ねじ部１７より上部には、環状の絶縁部１９が設けられ、絶縁部１９より上部の軸中心には、他方の電極である導電部２１が設けられている。
【００２６】
そして、このＬＥＤ電灯３に対して電力を供給するために、口金部９にソケット２３が嵌め込まれる。また、周知のように、ソケット２３は、絶縁性を有する有底の円筒形状の容器２５（先端側の外径：３３ｍｍ）を備え、その容器２５の内側には、前記口金部９のねじ部１７と螺合するねじ部（図示せず）と、前記導電部２１に接触する金属端子（図示せず）が設けられている。
【００２７】
なお、照明器具用パッキン１のソケット３側の端面（上面）は、ソケット３の先端面よりも幅が大きく、ソケット３の先端面全体を覆うように設定されている。
本実施形態の照明器具用パッキン１は、その内径がカラー１５の外径よりも僅かに小さいので、図５に示す様に、照明器具用パッキン１がＬＥＤ電灯３の口金部９の根元のカラー１５に嵌め込まれると、自身の弾性によって、カラー１５の外周に密着する。なお、照明器具用パッキン１とカラー１５との間に隙間があってもよい。
【００２８】
従って、この状態で、ソケット２３にＬＥＤ電灯３をねじ込んでゆくと、ソケット２３の容器２５の先端面の全面が照明器具用パッキン１の上面２６に密着するとともに、照明器具用パッキン１は、軸方向に押圧されて（図５では下方に押圧されて）、その軸方向の一方の面（図５の下側の下面２７）の一部が、ＬＥＤ電灯３の本体部７の基端部１１（テーパの上端部分）に密着する。
【００２９】
これによって、照明器具用パッキン１は、ソケット２３とＬＥＤ電灯３の本体部７の基端部１１との間の隙間を気密するので、ＬＥＤ電灯３とソケット２３の間に水蒸気や水分が侵入することを防止できる。その結果、ＬＥＤ電灯３とソケット２３の金属部分が錆びにくくなり、よって、ＬＥＤ電灯３やソケット２３の耐久性が向上するという効果がある。
【００３０】
なお、カラー１５と照明器具用パッキン１との間に隙間がある場合でも、ソケット２３にＬＥＤ電灯３をねじ込む際に、ソケット２３とＬＥＤ電灯３の本体部７の基端部１１との間の隙間を気密できる。
【００３１】
＜第２実施形態＞
次に、第２実施形態について説明するが、前記第１実施形態と同様な内容の説明は省略又は簡略化する。
【００３２】
図６に示すように、本実施形態の照明器具用パッキン３１は、前記第１実施形態とほぼ同様の円環形状（円筒形状）のパッキンである。
特に本実施形態では、照明器具用パッキン３１の内周面３３に、その円周方向に沿って一周するリングとなるように、表面から軸中心に向かって突出する環状凸部３５を備えている。
【００３３】
この環状凸部３５の断面形状（軸方向に沿った断面）は略半円形状であり、その軸中心に向かう高さは例えば１ｍｍである。
また、照明器具用パッキン３１の軸方向の一方の面（図６（ｂ）の下面３７）にも、その円周方向に沿って一周する直径３３ｍｍのリングとなるように、表面から軸中心に沿って下側に突出する環状凸部３９を備えている。
【００３４】
この環状凸部３９の断面形状（軸方向に沿った断面）は略半円形状であり、その軸方向の高さは例えば１ｍｍである。
本実施形態の照明器具用パッキン３１は、図７に示す様に、その内周面３３の環状凸部３５の内径がＬＥＤ電灯４１の口金部４３のカラー４５の外径よりも僅かに小さいので、照明器具用パッキン３１がＬＥＤ電灯４１のカラー４５に嵌め込まれると、環状凸部３５がカラー４５に密着する。
【００３５】
そして、この状態で、ソケット４７にＬＥＤ電灯４１をねじ込んでゆくと、ソケット４７の下端が照明器具用パッキン３１の上面４６に密着するとともに、照明器具用パッキン３１は、軸方向に押圧されて、その軸方向の一方の面（図７の下面３７）の環状凸部３９が、ＬＥＤ電灯４３の本体部４９の基端部５１（テーパの上端部分）に密着する。
【００３６】
これによって、前記第１実施形態と同様に、ＬＥＤ電灯４１とソケット４７との間に水蒸気や水分が侵入することを防止できるので、ＬＥＤ電灯４１等の耐久性が向上するという効果がある。
【００３７】
特に、本実施形態では、照明器具用パッキン３１の内周面３３や下面３７に、各面３３、３７の幅よりも幅の狭い環状凸部３５、３９が設けられており、この環状凸部３５、３９がカラー４５や本体部４９の基端部５１に当接するので、前記第１実施形態より気密性が高いという利点がある。
【００３８】
また、本実施形態の変形例として、図８に示す様に、照明器具用パッキン６１の内周面６３のみに、前記第２実施形態と同様な環状凸部６５を設けてもよい。
＜第３実施形態＞
次に、第３実施形態について説明するが、前記第１実施形態と同様な内容の説明は省略又は簡略化する。
【００３９】
図９に示すように、本実施形態の照明器具用パッキン７１は、前記第１実施形態とほぼ同様の円環形状（円筒形状）のパッキンである。
特に本実施形態では、照明器具用パッキン７１は、その軸方向の一方の面（図９（ｃ）の下面７３）が、軸中心より外周側に向かって、軸方向の一方の側が大きく開口するように（開口面積が大きくなるように）テーパ状に傾斜した形状を有している。
【００４０】
本実施形態の照明器具用パッキン７１は、図１０に示す様に、ＬＥＤ電灯７７の口金部７９の根元のカラー８０に嵌め込まれる。
そして、この状態で、ソケット８１にＬＥＤ電灯７７をねじ込んでゆくと、ソケット８１の下端が照明器具用パッキン７１の上面８２に密着するとともに、照明器具用パッキン７１は、軸方向に押圧されて、その軸方向の一方の面（図１０の下面７３）が、ＬＥＤ電灯７７の本体部８５の基端部８７（テーパの上端部分）に密着する。つまり、照明器具用パッキン７１のテーパ形状の下面７３と本体部８５のテーパ形状の基端部８７とが、同様なテーパ形状（傾斜面）であるので、その対応する下面７３と基端部８７の表面とが密着する。
【００４１】
これによって、前記第１実施形態と同様に、ＬＥＤ電灯７７とソケット８１の間に水蒸気や水分が侵入することを防止できるので、ＬＥＤ電灯７７の耐久性が向上するという効果がある。
【００４２】
特に、本実施形態では、照明器具用パッキン７１のテーパ形状の下面７３と本体部８５のテーパ形状の基端部８７とが、同様なテーパ形状（傾斜面）であるので、密着性が高く、よって、気密性が高いという利点がある。
【００４３】
＜第４実施形態＞
次に、第４実施形態について説明するが、前記第２、３実施形態と同様な内容の説明は省略又は簡略化する。
【００４４】
図１１に示すように、本実施形態の照明器具用パッキン９１は、前記第４実施形態とほぼ同様の円環形状（円筒形状）のパッキンである。
特に本実施形態では、前記第２実施形態と同様に、照明器具用パッキン９１の内周面９３に、その円周方向に沿って一周する環状となるように、表面から軸中心に向かって突出する環状凸部９５を備えている。
【００４５】
また、照明器具用パッキン９１の軸方向の一方の面（図１１（ｃ）の下面９７）にも、その円周方向に沿って一周する環状となるように、表面から軸中心に沿って下側に突出する環状凸部９９を備えている。
【００４６】
本実施形態の照明器具用パッキン９１は、図１２に示す様に、その内周面９３の環状凸部９５の内径がＬＥＤ電灯１０１のカラー１０３の外径よりも僅かに小さいので、照明器具用パッキン９１がＬＥＤ電灯１０１の口金部１０５の根元のカラー１０３に嵌め込まれると、自身の弾性によって、カラー１０３の外周に密着する。
【００４７】
従って、この状態で、ソケット１０７にＬＥＤ電灯１０１をねじ込んでゆくと、ソケット１０７の下端が照明器具用パッキン９１の上面９６に密着するとともに、照明器具用パッキン９１は、軸方向に押圧されて、その下面９７の環状凸部９９が、ＬＥＤ電灯１０１の本体部１０９の基端部１１１（テーパの上端部分）に密着する。
【００４８】
これによって、前記第２実施形態と同様に、ＬＥＤ電灯１０１とソケット１０７の間に水蒸気や水分が侵入することを防止できるので、ＬＥＤ電灯１０１の耐久性が向上するという効果がある。
【００４９】
特に、本実施形態では、照明器具用パッキン９１の内周面９３や下面９７よりも幅の狭い環状凸部９５、９９によって、カラー１０３や本体部１０９の基端部１１１に当接するので、気密性が高いという利点がある。
【００５０】
また、本実施形態の変形例として、図１３に示す様に、照明器具用パッキン１２１の内周面１２３のみに、前記第２実施形態と同様な環状凸部１２５を設けてもよい。
尚、本考案の実施の形態は、上記の実施形態に何ら限定されることはなく、本考案の技術的範囲に属する限り種々の形態を採りうる。
【符号の説明】
【００５１】
１、３１、６１、７１、９１、１２１…照明器具用パッキン
３、４１、７７、１０１…ＬＥＤ電灯
７、４９、８５、１０９…本体部
９、４３、７９、１０５…口金部
１５、４５、８０、１０３…カラー
２３、４７、８１、１０７…ソケット
３５、３９、６５、９５、９９、１２５…環状凸部
【図１】
0003156168.tif 000003
【図２】
0003156168.tif 000004
【図６】
0003156168.tif 000005
【図８】
0003156168.tif 000006
【図９】
0003156168.tif 000007
【図１１】
0003156168.tif 000008
【図１３】
0003156168.tif 000009
【図３】
0003156168.tif 000010
【図４】
0003156168.tif 000011
【図５】
0003156168.tif 000012
【図７】
0003156168.tif 000013
【図１０】
0003156168.tif 000014
【図１２】
0003156168.tif 000015